(57)【要約】【課題】  エアフィルタの装着有無を判断して過加湿を防止し空気を清浄化するモードが選択可能な加湿空気清浄装置を提供する。【解決手段】  吸気口１７の取り付け部５０にエアフィルタ４９の装着有無を判断するマイクロスイッチ５１を設置し、ミスト運転時にマイクロスイッチ５１でエアフィルタ４９が装着されていると制御部４５が判断したら、モード切替スイッチ３４で風量レベルに関係無くミストモータ１１の駆動を停止させるモードＡが選択可能となるので、夏場等の湿度が高い時期で室内の湿度上昇を望まず空気清浄のみをユーザーが要望する場合にモードＡを選択することで、室内湿度を上昇させることなくエアフィルタ４９により室内空気中の塵埃を捕集し空気の清浄化のみが実施できるため、ユーザーの要望に合致した運転を実施することができる。【選択図】  図１０
2019163898.tif 000002
【特許請求の範囲】
【請求項１】
器具本体と、
当該器具本体に形成され空気を吸い込む吸気口と、
当該吸気口から吸い込まれた空気が通過する空気流通路と、
当該空気流通路内の空気が流入する空気流入口が形成された貯水タンクと、当該貯水タンクに一端が接続され配管途中に前記貯水タンクへの給水有無を切り替え可能な給水弁を備えた給水管と、前記貯水タンクに一端が接続され配管途中に前記貯水タンク内の水の排水有無を切り替え可能な排水弁を備えた排水管と、
前記貯水タンクの前記空気流入口から流入した空気を加湿し清浄化する水フィルタを発生させると共に、水フィルタの発生量を可変とした加湿空清手段と、
当該加湿空清手段へ空気を送風し加湿と清浄化された空気を送風口から送風する送風ファンと、
前記吸気口又は／及び前記空気流通路に装着可能であり空気中の塵埃を捕集するエアフィルタと、
室内の加湿及び空気清浄を実施する運転時に前記加湿空清手段と前記送風ファンとを駆動させる制御部と、を備え、
前記エアフィルタの装着有無を検知するエアフィルタ検知手段を備え、
前記制御部は、前記エアフィルタ検知手段で前記エアフィルタの装着有りが検知されたら、前記加湿空清手段を停止させるモードを選択可能とすることを特徴とする加湿空気清浄装置。
【請求項２】
前記制御部は、前記エアフィルタ検知手段で前記エアフィルタの装着有りが検知されたら、前記加湿空清手段を前記エアフィルタの装着無しが検知された場合における水フィルタの発生量よりも少なくなるように駆動させるモードを選択可能とすることを特徴とする請求項１記載の加湿空気清浄装置。
【請求項３】
前記制御部は、前記エアフィルタ検知手段で前記エアフィルタの装着有りが検知されたら、前記エアフィルタの装着無しが検知された場合と比較し運転時における前記送風ファンの回転数を所定値だけ増加させることを特徴とする請求項１または２記載の加湿空気清浄装置。
【請求項４】
前記制御部は、前記エアフィルタ検知手段で前記エアフィルタの装着有りが検知され後に前記エアフィルタの装着無しが検知されたら、前記送風ファンの回転数を所定値だけ減少させることを特徴とする請求項３記載の加湿空気清浄装置。
【請求項５】
前記加湿空清手段は、前記貯水タンク内に下端を水没させ回転により水を汲み上げて飛散させる筒状の回転体と、当該回転体を回転駆動させるミストモータと、前記回転体の回転により飛散された水が衝突する衝突体とで構成され、前記ミストモータの回転数を可変させることで水フィルタの発生量が可変することを特徴とする請求項１から４のいずれか１項に記載の加湿空気清浄装置。
【発明の詳細な説明】
【技術分野】
【０００１】
この発明は、室内の空気を加湿及び清浄化する運転が実施可能な加湿空気清浄装置に関するものである。
【背景技術】
【０００２】
従来、この種のものでは、空気の加湿と清浄化が可能な加湿空清手段を貯水タンク内に設置し、当該加湿空清手段と送風ファンとを駆動させることで器具本体内に取り込んだ空気が貯水タンクを通過する時、加湿空清手段により発生した水フィルタにより空気が加湿されると共に空気中の塵埃が捕集されることで清浄化され、室内に清浄化された加湿空気として送風されることで、室内の加湿と空気清浄を実施するものがあり、器具本体が配置された室内の相対湿度を設定された範囲内となるように加湿すると共に空気清浄がなされることで、室内空間の快適性を高めるものがあった。（例えば、特許文献１）
【先行技術文献】
【特許文献】
【０００３】
【特許文献１】特開２０１５−２２２１５６号公報
【発明の概要】
【発明が解決しようとする課題】
【０００４】
しかし、この従来のものでは、夏場等の湿度が高く加湿要求が低い場合において、ユーザーが過加湿を抑制し空気清浄を重視した運転を要望することが考えられるが、加湿能力を抑えて空気清浄を重視した運転を実施するモードが存在せず、ユーザーの要望を満たすことができなかった。
その一方で、仮に加湿空清手段を停止させ室内の過加湿を抑えるモードが存在しても、加湿空清手段が停止すると貯水タンク内で水フィルタが発生せず、貯水タンク内を通過する空気を清浄化することができないことから、改善の余地があった。
【課題を解決するための手段】
【０００５】
上記課題を解決するために、本発明の請求項１では、器具本体と、
当該器具本体に形成され空気を吸い込む吸気口と、
当該吸気口から吸い込まれた空気が通過する空気流通路と、
当該空気流通路内の空気が流入する空気流入口が形成された貯水タンクと、当該貯水タンクに一端が接続され配管途中に前記貯水タンクへの給水有無を切り替え可能な給水弁を備えた給水管と、前記貯水タンクに一端が接続され配管途中に前記貯水タンク内の水の排水有無を切り替え可能な排水弁を備えた排水管と、
前記貯水タンクの前記空気流入口から流入した空気を加湿し清浄化する水フィルタを発生させると共に、水フィルタの発生量を可変とした加湿空清手段と、
当該加湿空清手段へ空気を送風し加湿と清浄化された空気を送風口から送風する送風ファンと、
前記吸気口又は／及び前記空気流通路に装着可能であり空気中の塵埃を捕集するエアフィルタと、
室内の加湿及び空気清浄を実施する運転時に前記加湿空清手段と前記送風ファンとを駆動させる制御部と、を備え、
前記エアフィルタの装着有無を検知するエアフィルタ検知手段を備え、
前記制御部は、前記エアフィルタ検知手段で前記エアフィルタの装着有りが検知されたら、前記加湿空清手段を停止させるモードを選択可能とすることを特徴としている。
【０００６】
また、請求項２では、前記制御部は、前記エアフィルタ検知手段で前記エアフィルタの装着有りが検知されたら、前記加湿空清手段を前記エアフィルタの装着無しが検知された場合における水フィルタの発生量よりも少なくなるように駆動させるモードを選択可能とすることを特徴としている。
【０００７】
また、請求項３では、前記制御部は、前記エアフィルタ検知手段で前記エアフィルタの装着有りが検知されたら、前記エアフィルタの装着無しが検知された場合と比較し運転時における前記送風ファンの回転数を所定値だけ増加させることを特徴としている。
【０００８】
また、請求項４では、前記制御部は、前記エアフィルタ検知手段で前記エアフィルタの装着有りが検知され後に前記エアフィルタの装着無しが検知されたら、前記送風ファンの回転数を所定値だけ減少させることを特徴としている。
【０００９】
また、請求項５では、前記加湿空清手段は、前記貯水タンク内に下端を水没させ回転により水を汲み上げて飛散させる筒状の回転体と、当該回転体を回転駆動させるミストモータと、前記回転体の回転により飛散された水が衝突する衝突体とで構成され、前記ミストモータの回転数を可変させることで水フィルタの発生量が可変することを特徴としている。
【発明の効果】
【００１０】
この発明によれば、エアフィルタの装着有無を検知するエアフィルタ検知手段でエアフィルタの装着有りが検知されたら、加湿空清手段を停止させるモードを選択可能とするので、空気中の塵埃を捕集するエアフィルタが器具本体に装着され、加湿空清手段で発生させる水フィルタが存在しなくても空気中の塵埃を捕集し空気清浄が可能な状態でのみ加湿空清手段を停止させるモードが選択できるため、室内の過加湿を抑制し空気清浄を重視した運転を実施することができ、ユーザーの要求に合った運転を実施することができる。
【００１１】
また、エアフィルタ検知手段でエアフィルタの装着有りが検知されたら、加湿空清手段をエアフィルタの装着無しが検知された場合における水フィルタの発生量よりも少なくなるように駆動させるモードを選択可能とするので、空気清浄を重視すると共に湿度の微増を望むユーザーの要求を満たすことができ、ユーザーの使い勝手が向上する。
【００１２】
また、エアフィルタの装着有無を検知するエアフィルタ検知手段によりエアフィルタの装着有りが検知されたら、エアフィルタの装着無しが検知された場合と比較し運転時における送風ファンの回転数を所定値だけ増加させるので、エアフィルタが装着されたことで送風の圧損が増加しても空気の送風量が減少しないため、室内の空気清浄力が低下することなく運転を実施することができ、室内の空清清浄を重視したいユーザーの要望を満たすことができる。
【００１３】
また、エアフィルタ検知手段でエアフィルタの装着有りが検知され後にエアフィルタの装着無しが検知されたら、送風ファンの回転数を所定値だけ減少させるので、エアフィルタによる圧損の影響がない状態と判断し送風ファンの回転数を適切な値に戻すことで室内空気の空気清浄力を一定値に保持すると共に、送風ファンの回転数が増加した状態が継続し騒音が増加したことでユーザーに不快感を与えることがない。
【００１４】
また、水フィルタ発生手段は、貯水タンクに下端を水没させ回転により水を汲み上げて飛散させる筒状の回転体と、該回転体を回転駆動させるミストモータと、回転体の回転により飛散された水が衝突する衝突体とで構成され、ミストモータの回転数を可変させることで水フィルタの発生量が可変するので、貯水タンク内の水を回転体で汲み上げて衝突体に衝突させる簡易な構成により粒径の小さなミストを生成し、空気中の塵埃と付着して貯水タンク内に落下させる水フィルタを発生させることができるため、空気を効率よく清浄化することができると共に、組付けが容易であり低コストで水フィルタ発生手段を構成できる。
【図面の簡単な説明】
【００１５】
【図１】この発明の一実施形態の外観を説明する斜視図
【図２】同実施形態の概略構成図
【図３】同実施形態の制御ブロック図
【図４】同実施形態の操作部を説明する図
【図５】同実施形態の吸気口付近の構造を説明する図
【図６】同実施形態のエアフィルタ装着時の様子を説明する部分拡大図
【図７】同実施形態のエアフィルタ脱着時の様子を説明する部分拡大図
【図８】同実施形態の運転開始から終了までの動作を説明するフローチャート
【図９】同実施形態のエアフィルタ有無での動作を説明するフローチャート
【図１０】同実施形態のエアフィルタ有無でのミストモータと送風ファンの回転数を説明する図
【発明を実施するための形態】
【００１６】
次に、この発明の一実施形態における空気清浄装置を図に基づいて説明する。
１は器具本体、２は器具本体１上部に形成され複数のルーバー３が設置された送風口、４は器具本体１の正面上部を構成する上面パネル、５は器具本体１の正面下部を構成する下面パネル、６は複数のスイッチが備えられ各種操作指令を行う操作部、７は図示しないブレーカーを隠すブレーカーカバーである。
【００１７】
８は器具本体１内の略中段高さ位置にあって所定量の水を貯水する貯水タンクであり、この貯水タンク８内には、水に下端を水没させ駆動軸９に軸支された筒状の回転体１０が備えられている。
【００１８】
前記回転体１０は、中空逆円錐形で上方に向かって円周が徐々に拡大するものであり、駆動軸９に接続され回転体１０を回転駆動させるミストモータ１１を駆動させ、回転体１０が回転することによる回転の遠心力で貯水タンク８の水を汲み上げ、回転体１０の外壁および内壁を伝わせて水を押し上げて、回転体１０の外壁を伝わせて押し上げた水を周囲に飛散させると共に、回転体１０の内壁を伝わせて押し上げた水を回転体１０の上端に形成された複数の図示しない飛散口から外周方向へ飛散させる。
【００１９】
１２は回転体１０の上部外周に所定間隔を離間させて位置し、回転体１０と共に回転する円筒状の多孔体で、該多孔体１２には、その全周壁に多数のスリットや金網やパンチングメタル等から成る衝突体としての多孔部１３が設置されており、前記回転体１０、前記ミストモータ１１及び前記多孔部１３で水フィルタ発生手段が構成されている。
【００２０】
前記水フィルタ発生手段を構成するミストモータ１１を駆動させ、回転体１０を回転させたことで発生する遠心力で貯水タンク８内の水を汲み上げると共に空気を飛散させ、多孔部１３を通過した水滴が破砕されることで、水を微細化して粒径がナノメートル（ｎｍ）サイズのミストを多量に生成することで水フィルタを発生させ、空気中の塵埃にミストが付着することで貯水タンク８の水中に落下させて空気を清浄化するものであり、前記ミストモータ１１の回転数を可変させることで水フィルタの発生量が可変し、ミストモータ１１の回転数が大きくなれば水フィルタの発生量が増大し、回転数が小さくなれば水フィルタの発生量が減少する。
【００２１】
１４は下面パネル５内に設置され所定の回転数で駆動することで室内空気を吸引して器具本体１の上部方向へ送風する送風ファン、１５は貯水タンク８と送風口２とを接続し貯水タンク８内で発生したミストを含む加湿空気を気水分離する気水分離ケース、１６は当該気水分離ケース１５の途中に設置され加湿空気に含まれる大径水滴を分離し粒径の小さなミストを多く含む加湿空気が送風口２から室内へ送風されるようにする板状のバッフル板であり、前記送風ファン１４が所定の回転数で駆動すると、器具本体１の底面に形成された吸気口１７から吸い込んだ室内空気を器具本体１の上部方向へ送風され、吸気口１７から貯水タンク８の空気流入口５４の間に形成された空気流通路１８を送風ファン１４により送風された空気が通過し、貯水タンク８の空気流入口５４から流入した室内空気中の塵埃が水フィルタによって捕集されることで清浄化されると共に、ミストを含んだ加湿空気となり、当該加湿空気が前記気水分離ケース１５内を上昇して気水分離ケース１５と接続した送風口２から室内へ送風されることで、清浄化されミストを含んだ加湿空気を室内に供給することができる。
【００２２】
１９は貯水タンク８内に設置され貯水を加熱する加熱ヒータであり、貯水タンク８の外壁に設置され貯水温度を検知する貯水温度センサ２０で検知される温度が所定温度となるよう、ＯＮ／ＯＦＦ状態が適宜切り替えられる。
【００２３】
２１は貯水タンク８内に設置されフロートが上下することで水位を検知する水位センサであり、貯水タンク８内の水位が低下して下限水位以下になったらＯＦＦ信号を出力し、水位が上昇して上限水位以上になったらＯＮ信号を出力し、更に水位が上昇して貯水タンク８内が満水となったら満水信号を出力する。
【００２４】
なお、貯水タンク８内の水位が下限水位を下回ると、回転体１０で水を吸い上げることが困難な状態になり、ナノミストと負イオンの発生量が減少して室内に放出される加湿空気量が減少してしまう。
また、貯水タンク８内の水位が上限水位を上回ると、水の粘性抵抗により回転体１０の回転に対する負荷が増大することから、ミストモータ１１に負荷がかかり製品寿命の低下に繋がる。
以上のことから、貯水タンク８内の水位を下限水位から上限水位の範囲に収めることで、回転体１０による水の吸い上げ量を確保すると共にミストモータ１１の負荷増大を防止することができる。
【００２５】
２２は貯水タンク８の側面に一端が接続され貯水タンク８内に市水を給水する給水管であり、当該給水管２２の配管途中には、電磁弁を開閉して貯水タンク８内への給水を制御する給水弁２３と、給水圧を所定値まで減圧する減圧弁２４とが備えられている。
【００２６】
２５は貯水タンク８底部に一端が接続され貯水タンク８内の水を器具本体１外部に排水する硬質塩化ビニル管で構成された排水管であり、当該排水管２５の配管途中には、電磁弁を開閉して貯水タンク８内水の排水を制御する排水弁２６が備えられている。
【００２７】
２７は送風口２の壁面に設置され、送風口２から室内へ向けて送風される加湿空気の温度を検知する送風温度センサ、２８は送風ファン１４の近傍に設置され、器具本体１の下部にある吸気口１７へ吸い込まれる室内空気の雰囲気温度を検知する吸気温度センサ、２９は前記吸気温度センサ２８の近傍に設置され器具本体１が設置された室内の相対湿度を検知する湿度センサであり、各センサで検知された温度や相対湿度に基づいて、ミストモータ１１や送風ファン１４の回転数を変化させ、加熱ヒータ１９のＯＮ／ＯＦＦ状態を切り替える。
【００２８】
操作部６には、運転の開始及び停止を指示する運転スイッチ３０と、加熱ヒータ１９のＯＮ／ＯＦＦ状態を切り替えて変化させる加湿量の大きさで分けられた３段階の加湿レベルから選択可能な加湿スイッチ３１と、ミストモータ１１と送風ファン１４の回転数をレベル毎に決定された数値に設定する３段階の風量レベルから選択可能な風量スイッチ３２と、加湿空気を室内に供給するミスト運転の開始時間と停止時間とを設定するタイマー切替スイッチ３３と、後述するエアフィルタ４９の装着有無により各風量レベルにおけるミストモータ１１と送風ファン１４の回転数の設置値を変化させる各モードを選択可能なモード切替スイッチ３４と、現在時刻を設定する時刻設定スイッチ３５と、スイッチを操作することで運転停止以外の動作を禁止するチャイルドロックスイッチ３６とが備えられている。
【００２９】
また、操作部６の各スイッチ上部には各スイッチに対応したランプが備えられており、運転スイッチ３０が操作されたら点灯する運転ランプ３７と、運転が所定時間以上継続したら開始する除菌運転時に点灯する除菌ランプ３８と、加湿スイッチ３１で設定された加湿レベルを１から３の数値で表示する加湿レベルランプ３９と、風量スイッチ３２で設定された風量レベルを１から３の数値で表示する風量レベルランプ４０と、タイマー切替スイッチ３３でミスト運転の開始及び停止が設定されたらそれぞれのランプが点灯するタイマーランプ４１と、モード切替スイッチ３４で選択されたモードを表示するモード切替ランプ４２と、時刻設定スイッチ３５で設定された現在時刻を表示する時刻表示パネル４３と、チャイルドロックスイッチ３６が操作されたら点灯するチャイルドロックランプ４４とが備えられている。
【００３０】
４５は各センサで検知された検知値や操作部６上に備えられた各スイッチでの設定内容に基づき、運転内容や弁の開閉を制御するマイコンで構成された制御部であり、ミストモータ１１を所定の回転数で駆動させるミストモータ制御手段４６と、送風ファン１４を所定の回転数で駆動させる送風ファン制御手段４７と、加熱ヒータ１９のＯＮ／ＯＦＦ状態を切り替えて貯水タンク８内の水温を制御する加熱ヒータ制御手段４８と、が備えられている。
【００３１】
４９は不織布等のシート状の濾材で構成されたＨＥＰＡフィルタ等からなるエアフィルタであり、空気中の微細な塵埃やＰＭ２．５等の微小粒子を捕集して空気清浄を行い、吸気口１７に形成された取り付け部５０に対して自在に装着、及び脱着が可能である。
【００３２】
５１は前記取り付け部５０の下方に設置されたエアフィルタ検知手段としてのマイクロスイッチであり、エアフィルタ４９が取り付け部５０に装着されると前記マイクロスイッチ５１の稼動部５２が押圧されることでスイッチ５３が押されてＯＮ状態に切り替わり、エアフィルタ４９の装着有りの情報を出力し図示しない通信線により制御部４５へ出力した情報が送信され、また、エアフィルタ４９が取り付け部５０から脱着されるとマイクロスイッチ５１の稼動部５２の端部が図示しないバネによって上方へ押上げられ、スイッチ５３がＯＦＦ状態に切り替わり、エアフィルタ４９の装着無しの情報を出力し図示しない通信線により制御部４５へ出力した情報が送信される。
【００３３】
次に、この一実施形態での運転開始から終了までの動作について図８のフローチャートに基づいて説明する。
【００３４】
まず、操作部６の運転スイッチ３０が操作されたか、もしくはタイマー切替スイッチ３３で設定された運転開始時刻になったら、制御部４５は、排水弁２６を開弁して貯水タンク８内の水を排水し、水位センサ２１でＯＦＦ信号が検知されたら給水弁２３を開弁して貯水タンク８内を水で洗い流すクリーニング動作を行い、所定時間経過したら排水弁２６を閉弁することで給水弁２３から流入する水を貯水タンク８内に供給し、水位センサ２１でＯＮ信号が検知されたら、所定量の水が貯水タンク８内に供給されたとして給水弁２３を閉弁する洗浄モードを行う（ステップＳ１０１）。
【００３５】
ステップＳ１０１の洗浄モードが終了したら、制御部４５は、貯水温度センサ２０で検知される貯水温度が室温と同値になるまで加熱ヒータ制御手段４８で加熱ヒータ１９をＯＮ状態にして、ミストモータ１１及び送風ファン１４が所定の回転数となるようミストモータ制御手段４６及び送風ファン制御手段４７で制御する立ち上げ動作を実行する立ち上げモードを行う（ステップＳ１０２）。
【００３６】
ステップＳ１０２の立ち上げモードが終了したら、制御部４５は、風量スイッチ３２で設定された風量レベル、及びモード切替スイッチ３４で選択されたモードに基づいて、ミストモータ１１と送風ファン１４とが所定の回転数で駆動するようミストモータ制御手段４６と送風ファン制御手段４７とで回転数を制御し、貯水タンク８内の温度について加熱ヒータ１９のＯＮ／ＯＦＦ状態を加熱ヒータ制御手段４８で切り替えて制御し加湿レベルと風量レベルとに合わせた所定の温度範囲内にすると共に、水フィルタにより室内の空気清浄を行うミスト運転を実行する通常運転モードを行う（ステップＳ１０３）。
【００３７】
また、制御部４５は、前記ミスト運転中に貯水タンク８の水位が下限水位以下となって水位センサ２１がＯＦＦ信号を出力したと判断したら、給水弁２３を開弁して貯水タンク８内への給水を開始し、貯水タンク８の水位が上限水位に達して水位センサ２１がＯＮ信号を出力したと判断したら、給水弁２３を閉弁して貯水タンク８内への給水を停止することで、常時ミスト運転が実施可能な水位を保持することができる。
【００３８】
また、制御部４５は、水入れ替え動作の実施タイミングに達したと判断したら、ミストモータ１１と送風ファン１４とを停止させ排水弁２６を開放して貯水タンク８内の水を排水し、所定の排水時間が経過したら排水弁２６を閉止すると共に給水弁２３を開放して貯水タンク８内への給水を開始し、水位センサ２１で上限水位が検知されたか所定の給水時間が経過したと判断したら給水弁２３を閉止する動作を所定回数だけ繰り返し、所定のタイミングでミストモータ１１と送風ファン１４とを駆動させることで、貯水タンク８内を清浄にしてスケールの析出が発生するのを防止する。
【００３９】
ステップＳ１０３の通常運転モードが開始されてから経過した時間が１６時間となったか、または通常運転モード中に運転スイッチ３０が操作されたか、あるいは、タイマー切替スイッチ３３で設定した停止時間となってミスト運転終了の指示があったと判断したら、制御部４５は、ミストモータ１１を停止させてから排水弁２６を開弁して貯水タンク８内の水を排水し、所定時間経過したら給水弁２３を開弁して貯水タンク８内を洗浄してから排水弁２６を閉弁して貯水タンク８内に所定量だけ貯水する洗浄運転を行い、その後、加熱ヒータ１９をＯＮ状態にして水を６５℃前後に加熱し除菌を行う除菌運転を１０分間実施し、１０分経過後に貯水タンク８内を冷却する冷却運転を実行し、貯水温度が６０℃未満になったら排水弁２６を開弁して排水するクリーニングモードを行う（ステップＳ１０４）。
【００４０】
ステップＳ１０４のクリーニングモードが終了したら、制御部４５は、乾燥モード（ステップＳ１０５）に移行し、送風ファン１４が所定の回転数（例えば、８００ｒｐｍ）で駆動するよう送風ファン制御手段４７で制御し、所定時間（例えば３時間）だけ送風ファン１４を駆動させ続ける乾燥運転を実施して、３時間経過したと判断したら、送風ファン１４を停止させて運転を終了する。
【００４１】
次に、ミスト運転開始時におけるモード切替スイッチ３４で選択された各モード別の運転制御について図９のフローチャートに基づいて説明する。
【００４２】
まず、前記ステップＳ１０３の通常運転モードに制御が移行しミスト運転が開始されたら、制御部４５は、マイクロスイッチ５１からの検知信号よりエアフィルタ４９が取り付け部５０に装着されているか判断し（ステップＳ２０１）、エアフィルタ４９が装着されていると判断したら、エアフィルタ４９が装着されている場合における各モードの選択を可能とする状態に移行し（ステップＳ２０２）、エアフィルタ４９が装着されていないと判断したら、エアフィルタ４９が装着されていない場合における各モードの選択を可能とする状態に移行する（ステップＳ２０３）。
【００４３】
ここで、エアフィルタ４９の装着有無による各モードについて説明する。
まず、エアフィルタ４９が装着されていると判断された場合、図１０で示すようにモード切替スイッチ３４でモードＡ、モードＢ及びモードＣの３つから選択可能な状態に移行し、モードＡ、モードＢ、及びモードＣはいずれも風量レベルの上昇に従い送風ファン１４の回転数が上昇し、それぞれの風量レベルにおける送風ファン１４の回転数はエアフィルタ４９が装着されていない場合よりも１００ｒｐｍだけ高くなるよう設定されている。
【００４４】
例えば、風量レベル１における送風ファン１４の回転数は、エアフィルタ４９が装着されているモードＡ、Ｂ、Ｃの場合は５００ｒｐｍであり、エアフィルタ４９が装着されていないモードＤ、Ｅの場合は４００ｒｐｍであることから、エアフィルタ４９が装着されていない場合と比較し、エアフィルタ４９が装着されている場合は所定値である１００ｒｐｍだけ高くなる。
【００４５】
また、制御部４５は、モード切替スイッチ３４によりモードＡが選択されていると判断したら、風量レベルに関係無くミストモータ１１を停止させ、モードＢが選択されていると判断したら、ミストモータ１１の回転数を風量レベルの上昇に関係無く所定の低回転数である４００ｒｐｍで固定されるよう設定し、モードＣが選択されていると判断したら、ミストモータ１１の回転数を風量レベルの上昇に関係無く７００ｒｐｍで固定されるよう設定する。
【００４６】
また、エアフィルタ４９が装着されていないと判断された場合、図１０で示すようにモード切替スイッチ３４でモードＤとモードＥの２つから選択可能な状態に移行し、制御部４５は、モードＤが選択されていると判断したら、風量レベルの上昇に従いミストモータ１１と送風ファン１４との回転数がそれぞれ上昇するように設定し、モードＥが選択されていると判断したら、風量レベルの上昇に従い送風ファン１４の回転数は上昇させるが、ミストモータ１１の回転数は風量レベルの上昇に関係無く７００ｒｐｍで固定する。
【００４７】
そして、前記ステップＳ２０２、又は前記ステップＳ２０３の処理が完了したら、制御部４５は、ミスト運転の終了指示が出されたか判断し（ステップＳ２０４）、ミスト運転の終了指示が出されていればミスト運転を終了させて前記ステップＳ１０４のクリーニングモードへ制御を移行し、ミスト運転の終了指示が出されていなければ前記ステップＳ２０１の判断を繰り返す。
【００４８】
ここで、取り付け部５０へのエアフィルタ４９の装着有無による各モード制御の差異について詳述すると、図１０で示すように、マイクロスイッチ５１により取り付け部５０にエアフィルタ４９が装着されていると制御部４５が判断した場合、風量レベルの上昇に従い送風ファン１４の回転数は上昇するが、ミストモータ１１の駆動を停止させるモードＡと、ミストモータ１１の回転数が所定の低回転数である４００ｒｐｍで固定されるモードＢと、ミストモータ１１の回転数が７００ｒｐｍで固定されるモードＣと、からユーザーが選択できる。
【００４９】
よって、夏場等の湿度が高い時期でユーザーが室内の過加湿を抑制し空気清浄を重視するモードを要望する場合、ユーザーがモード切替スイッチ３４でモードＡを選択すると、風量レベルの増加に従い送風ファン１４の回転数は上昇するが、ミストモータ１１の駆動は風量レベルに関係無く停止していることから、貯水タンク８内でミストが発生しないことで加湿空気が室内へ送風されないため室内の過加湿を抑制すると共に、吸気口１７を通過する空気中の塵埃がエアフィルタ４９によって捕集されるため、室内の湿度を上昇させることなく空気清浄を実施することができる。
【００５０】
また、室内の湿度を微増させつつ空気清浄を実施することをユーザーが要望する場合、ユーザーがモード切替スイッチ３４でモードＢを選択すると、風量レベルの増加に従い送風ファン１４の回転数は上昇するが、ミストモータ１１の回転数は４００ｒｐｍという、モードＤの各風量レベルと比較して低い回転数に固定されていることから、室内に送風される加湿空気量が微量であることで室内湿度を微増させると共に、エアフィルタ４９と貯水タンク８内で発生する水フィルタとで空気中の塵埃を確実に捕集し、室内の空気清浄を実施することができる。
【００５１】
また、マイクロスイッチ５１により取り付け部５０にエアフィルタ４９が装着されていないと制御部４５が判断した場合、風量レベルの上昇に従いミストモータ１１と送風ファン１４の回転数が共に増加するモードＤと、風量レベルの上昇に従い送風ファン１４の回転数は上昇するがミストモータ１１の回転数は風量レベルの上昇に関係無く７００ｒｐｍで固定されるモードＥとからユーザーが選択できる。
【００５２】
よって、室内の加湿と空気清浄とを同時に実施することをユーザーが要望する場合、ユーザーがモード切替スイッチ３４でモードＤを選択すると、各風量レベルに応じたミストモータ１１と送風ファン１４の回転数に設定されることで、吸気口１７から吸い込まれた室内空気内の塵埃が貯水タンク８内で発生する水フィルタにより捕集されることで空気が清浄化され、送風口２から清浄化され空気中に水分を多量に含んだ加湿空気として室内に送風されるため、室内空気の加湿と清浄化とを同時に実施することができる。
【００５３】
また、夏場等の湿度が高い時期でユーザーが室内の湿度上昇を望まず空気清浄のみをエアフィルタ４９を装着せずに要望する場合、ユーザーがモード切替スイッチ３４でモードＥを選択すると、風量レベルの増加に従い送風ファン１４の回転数は上昇するが、ミストモータ１１の回転数は風量レベルの上昇に関係無くモードＤの各風量レベルにおける回転数より低い７００ｒｐｍで固定されるため、貯水タンク８内で発生するミスト量が減少し貯水タンク８を通過する空気に含まれる水分量がモードＤと比較して少なくなることから、室内に送風される加湿空気による湿度上昇量が少なくなると共に、ミストモータ１１を低回転数で駆動させることで水フィルタを発生させ貯水タンク８内を通過する空気中の塵埃を捕集することができるため、湿度上昇を抑えつつ室内空気の清浄化を実施することができる。
【００５４】
また、マイクロスイッチ５１により取り付け部５０にエアフィルタ４９が装着されていると制御部４５が判断した場合、エアフィルタ４９が装着されていない場合の同一の風量レベルと比較し、送風ファン１４の回転数を所定値である１００ｒｐｍだけ増加させている。
【００５５】
これにより、吸気口１７の取り付け部５０にエアフィルタ４９が装着されたことで器具本体１内に吸い込まれる空気の圧損が増加しても、送風ファン１４の回転数を増加させたことで吸気口１７や貯水タンク８内を通過する空気量が減少するのを防止でき、エアフィルタ４９が装着されていない場合と比較して室内の空気清浄力が低下せず、室内の快適性を保持することができる。
【００５６】
また、マイクロスイッチ５１によりエアフィルタ４９が取り付け部５０に装着されていると制御部４５が判断した後、ユーザーや作業者によりエアフィルタ４９が取り付け部５０から取り外された場合、マイクロスイッチ５１によりエアフィルタ４９が取り付け部５０に装着されていないと制御部４５が判断し、図１０で示すように、エアフィルタ４９が装着されている場合の同一の風量レベルと比較し、送風ファン１４の回転数を所定値である１００ｒｐｍだけ減少させる。
【００５７】
これにより、吸気口１７の取り付け部５０からエアフィルタ４９が脱着され空気の圧損となるものが取り除かれたら、送風ファン１４の回転数を減少させることで空気清浄力を適正値に保持すると共に、回転数の減少に伴い送風ファン１４から発生する騒音値が大きなまま継続してユーザーが送風ファン１４から発生する音により不快と感じることを防止することができ、また、圧損の影響がない送風ファン１４の回転数にすることで貯水タンク８内を通過する空気の流速が低下するため、水フィルタ発生手段により発生したミストの中で粒径の大きなものが流速の増大によって送風口２まで到達し、送風口２に結露して落下し器具本体１の設置面付近が濡れる事態を防止することができる。
【００５８】
以上のように、吸気口１７の取り付け部５０にエアフィルタ４９の装着有無を判断するマイクロスイッチ５１を設置し、ミスト運転時にマイクロスイッチ５１でエアフィルタ４９が装着されていると制御部４５が判断したら、モード切替スイッチ３４で風量レベルに関係無くミストモータ１１の駆動を停止させるモードＡが選択可能となるので、夏場等の湿度が高い時期に室内の過加湿を抑制し空気清浄を重視したモードをユーザーが要望する場合にモードＡを選択することで、室内湿度を上昇させることなくエアフィルタ４９により室内空気中の塵埃を捕集し空気の清浄化のみが実施できるため、ユーザーの要望に合致した運転を実施することができる。
【００５９】
また、ミスト運転時にマイクロスイッチ５１でエアフィルタ４９が装着されている制御部４５が判断したら、モード切替スイッチ３４で風量レベルに関係無くミストモータ１１を所定の低回転数で駆動させるモードＢが選択可能となるので、室内の空気清浄と共に湿度の微増をユーザーが要望する場合にモードＢを選択することで、室内の湿度を微増させつつ貯水タンク８内で水フィルタが発生し、エアフィルタ４９と水フィルタとにより室内空気中の塵埃を確実に捕集することが可能となるため、ユーザーの使い勝手が向上する。
【００６０】
また、吸気口１７の取り付け部５０にエアフィルタ４９の装着有無を判断するマイクロスイッチ５１を設置し、ミスト運転時にマイクロスイッチ５１でエアフィルタ４９が装着されていると制御部４５が判断したら、エアフィルタ４９が装着されていない場合と比較し同一風量レベルにおける送風ファン１４の回転数を増加させるので、吸気口１７にエアフィルタ４９が装着されたことで空気の圧損が増加しても、送風ファン１４の回転数を所定値だけ増加させたことで吸気口１７や貯水タンク８内を通過する空気量が減少するのを防止でき、吸気口１７の取り付け部５０に装着されたエアフィルタ４９と貯水タンク８内で発生する水フィルタとで多量の空気を清浄化することができるため、エアフィルタ４９を装着した時におけるミスト運転での加湿能力と空気清浄力とが低下するのを防止できる。
【００６１】
また、取り付け部５０にエアフィルタ４９を装着した後、エアフィルタ４９が脱着されことをマイクロスイッチ５１で検知したと制御部４５が判断したら、ミスト運転時における送風ファン１４の回転数を減少させるので、圧損の影響がない場合における加湿空気の送風量へ自動的に切り替わるため、ミスト運転での加湿能力と空気清浄力を適正値に保持すると共に、送風ファン１４の回転数が減少することで騒音値が大きなまま継続しユーザーに不快感を与えることを防止することができ、さらに、粒径の大きなミストが送風口２に到達して結露水として付着し、当該結露水が落下して器具本体１の設置面付近が濡れる事態を防止することができる。
【００６２】
なお、本実施形態ではエアフィルタ検知手段としてマイクロスイッチ５１を用いているが、これに限らずコンデンサの静電容量変化を検知する静電容量式のスイッチや、磁気検出素子により磁気を検知する磁気スイッチによりエアフィルタ４９の装着有無を検知する方法であってもよく、取り付け部５０へのエアフィルタ４９の装着有無が検知可能な手段であればよいものである。
【００６３】
また、本実施形態ではエアフィルタ４９を吸気口１７の取り付け部５０に装着しているが、これに限らず、空気流通路１８上にエアフィルタ４９が装着可能な構成であってもよく、貯水タンク８内に空気が流入するまでの間においてエアフィルタ４９の装着、及び脱着が可能であり、当該エアフィルタ４９の装着有無について検知可能なエアフィルタ検知手段が設置されていればよい。
【００６４】
また、本実施形態ではエアフィルタ４９が取り付け部５０に装着された場合に選択可能なモードＢにおけるミストモータ１１の回転数を４００ｒｐｍとして説明したが、これに限らず、エアフィルタ４９が装着されていない場合におけるミストモータ１１の回転数より低いことで水フィルタの発生量が小さく、室内が過加湿状態になることなく湿度が微増すればよいものであり、ミストモータ１１を３００ｒｐｍや５００ｒｐｍで設定してもよいものである。
【００６５】
更に、吸気口１７にエアフィルタ４９を複数装着可能な構成や、吸気口１７と空気流通路１８とにそれぞれエアフィルタ４９が装着可能な構成であってもよく、エアフィルタ４９が装着可能な位置毎にエアフィルタ検知手段が設置され、エアフィルタ４９の装着枚数により送風ファン１４の回転数の増加具合を変化させてもよい。例えば、エアフィルタ４９の装着枚数が１枚のときは送風ファン１４の回転数を１００ｒｐｍ増加させ、２枚のときは送風ファン１４の回転数を２００ｒｐｍ増加させるといったように、エアフィルタ４９の装着枚数に比例して送風ファン１４の回転数を増加させることで空気の圧損に応じた適切な送風量にすることができ、送風口２から送風される加湿空気の風量が低下しないため、室内の空気清浄力の低下を防止することができる。
【００６６】
また、本実施形態では、エアフィルタ４９の装着有無により変化させる送風ファン１４の回転数の変化幅である所定値を１００ｒｐｍとしているが、これに限らず、例えば前記所定値を１５０ｒｐｍや２００ｒｐｍにしてもよく、また、風量レベル１での前記所定値は１００ｒｐｍ、風慮レベル２での前記所定値は１２０ｒｐｍ、風量レベル３での前記所定値は１５０ｒｐｍというように、各風量レベル毎に前記所定値を変化させてもよい。
【００６７】
また、本実施形態で用いたその他の構成は一例として提示したものであり、発明の範囲を限定することは意図しておらず、その他の様々な形態で実施されることが可能であり、発明の要旨を逸脱しない範囲において、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００６８】
１    器具本体
２    送風口
８    貯水タンク
１０    回転体
１１    ミストモータ
１３    多孔部（衝突体）
１４    送風ファン
１７    吸気口
１８    空気流通路
２２    給水管
２３    給水弁
２５    排水管
２６    排水弁
４５    制御部
４９    エアフィルタ
５１    マイクロスイッチ（エアフィルタ検知手段）
５４    空気流入口
【図１】
2019163898.tif 000003
【図２】
2019163898.tif 000004
【図３】
2019163898.tif 000005
【図４】
2019163898.tif 000006
【図５】
2019163898.tif 000007
【図６】
2019163898.tif 000008
【図７】
2019163898.tif 000009
【図８】
2019163898.tif 000010
【図９】
2019163898.tif 000011
【図１０】
2019163898.tif 000012